(57)【特許請求の範囲】
【請求項１】
運搬車の荷台に搭載可能とした大きさの架台上に、回収した廃プラスチックを上方へと搬送する投入コンベヤと、該投入コンベヤの搬送端下位に配設した投入ホッパを備え、廃プラスチックをフレーク状に破砕する破砕装置と、該破砕装置の下位に配設した廃プラスチック片を水槽に投入して比重差を利用して選別する選別装置と、該選別装置より取り出した廃プラスチック片を洗浄する洗浄装置と、該洗浄装置から取り出した廃プラスチック片の水分を脱水除去する脱水装置とを載置すると共に、前記選別装置の水槽は平面視が長方形で、かつ断面が略逆三角形の構造とし、水槽の底部中央部には沈降する比重の大きい廃プラスチック片を水流の流れる方向へと取り出すスクリューコンベアを備え、水槽の廃プラスチック片を投入する一端側上位には水を供給する給水ノズルを備える一方、他端側上端部には排水口を備え、前記給水ノズルより供給された水が水槽を満たすと排水口より余剰水としてオーバーフローするようにして水槽内の水に常時一定方向への水流が生じるようにし、水槽の上流側には廃プラスチック片を水中へ押し込んで投入する圧送投入手段を備え、水槽内部には水流を蛇行させる遮蔽材を備え、更に前記排水口の上位には水面へ浮上して流下してくる比重の小さい廃プラスチック片を排水口側へかき寄せて取り出す半面を水面下に没入させたスクリューコンベアを架設したことを特徴とする廃プラスチック処理装置。
【発明の詳細な説明】
【０００１】
【発明の属する技術分野】
本発明は、複数の素材からなる廃プラスチックを破砕してフレーク化し、比重差を利用して選別回収する廃プラスチック処理装置に関する。
【０００２】
【従来の技術】
近年、環境保護の一環として家庭などより出される資源ゴミを回収して再生処理する、いわゆるリサイクルが盛んに行われている。その一つに、例えば、取り扱いの良さから最近市場に多く出回っているペットボトルなどのプラスチック製の飲料容器がある。これらプラスチック製の飲料容器を回収してくると、破砕装置などによってフレーク状に粉砕してから原材料として再利用している。
【０００３】
ところで、プラスチック製の飲料容器などは、容器本体とキャップ、キャップリング、更に容器本体に貼り付けたラベルなどから構成されており、これら各部位はポリエチレンテレフタレート（以下ＰＥＴという）や、ポリプロピレン（以下ＰＰという）、或いはポリエチレン（以下ＰＥという）などの様々な素材から形成されていることが少なくなく、再生するにあたっては前もってキャップやキャップリング、或いはラベルなどを容器本体より選別して取り除いておくことが必要不可欠である。そこで、選別方法の一つとして、粉砕した廃プラスチック片を水で満たした水槽へ投入し、水に対する素材毎の比重差を利用して浮沈選別を行うようにしたものがある。
【０００４】
廃プラスチック処理装置は、上記のような破砕装置や選別装置等の各種装置から構成されており、これら装置は現地にて組み立て作業を行っているのが現状である。
【０００５】
【発明が解決しようとする課題】
しかしながら、上記のようにプラスチック処理装置を現地にて組み立てると、手間がかかり、設置スペースも大きくとる必要があるなどの問題点があった。
【０００６】
本発明は上記の点に鑑み、現地にて組み立て作業を不要とした廃プラスチック処理装置を提供することを課題とする。
【０００７】
【課題を解決するための手段】
本発明は上記の課題を解決するために、運搬車の荷台に搭載可能とした大きさの架台上に、回収した廃プラスチックを上方へと搬送する投入コンベヤと、該投入コンベヤの搬送端下位に配設した投入ホッパを備え、廃プラスチックをフレーク状に破砕する破砕装置と、該破砕装置の下位に配設した廃プラスチック片を水槽に投入して比重差を利用して選別する選別装置と、該選別装置より取り出した廃プラスチック片を洗浄する洗浄装置と、該洗浄装置から取り出した廃プラスチック片の水分を脱水除去する脱水装置とを載置すると共に、前記選別装置の水槽は平面視が長方形で、かつ断面が略逆三角形の構造とし、水槽の底部中央部には沈降する比重の大きい廃プラスチック片を水流の流れる方向へと取り出すスクリューコンベアを備え、水槽の廃プラスチック片を投入する一端側上位には水を供給する給水ノズルを備える一方、他端側上端部には排水口を備え、前記給水ノズルより供給された水が水槽を満たすと排水口より余剰水としてオーバーフローするようにして水槽内の水に常時一定方向への水流が生じるようにし、水槽の上流側には廃プラスチック片を水中へ押し込んで投入する圧送投入手段を備え、水槽内部には水流を蛇行させる遮蔽材を備え、更に前記排水口の上位には水面へ浮上して流下してくる比重の小さい廃プラスチック片を排水口側へかき寄せて取り出す半面を水面下に没入させたスクリューコンベアを架設したことを特徴としている。
【０００９】
【発明の実施の形態】
本発明の廃プラスチック処理装置によれば、運搬車の荷台に搭載可能とした大きさの架台上に、回収した廃プラスチックを上方へと搬送する投入コンベヤと、該投入コンベヤの搬送端下位に配設した投入ホッパを備え、廃プラスチックをフレーク状に破砕する破砕装置と、該破砕装置の下位に配設した廃プラスチック片を水槽に投入して比重差を利用して選別する選別装置と、該選別装置より取り出した廃プラスチック片を洗浄する洗浄装置と、該洗浄装置から取り出した廃プラスチック片の水分を脱水除去する脱水装置とを載置し、かつ前記選別装置は運搬車の荷台に搭載できるコンパクトな構成としたので、製造工場内でこれら装置を架台上に組み込んでプラスチック処理装置を完成させておくことができる。そしてこのプラスチック処理装置を運搬車の荷台に搭載して設置場所に輸送し、現地で据え付るだけで使用可能となる。このように、プラスチック処理装置を運搬車に搭載可能にコンパクトユニット化することによって現地工事も不要となり、低コスト化を図れる。
【００１０】
また、破砕装置にて破砕した廃プラスチック片を水槽内にて比重差を利用して選別する際に、廃プラスチック片を圧送投入手段によって水槽内の水中へ押し込むようにしている。これによってＰＰ片やＰＥ片などの比重の小さいものは水面へと直ちに浮上し、ＰＥＴ片などの比重の大きいものはそのまま水底へと沈下するので、比較的短時間で精度よく選別することができる。更に、水槽内の水流は遮蔽材によって蛇行させるようにしたので、選別のための実質の流下距離を増大できサイズの小さい水槽でも選別可能となる。このように、選別装置である水槽のコンパクト化を図ることによって運搬車の荷台に搭載可能とした大きさの架台上でも載置可能となる。
【００１１】
【実施例】
以下、本発明の実施例を図面に基づいて説明する。
【００１２】
図中の１はペットボトルなどの廃プラスチックを破砕して浮沈選別を行って洗浄・脱水処理する廃プラスチック処理装置であって、運搬車の荷台に搭載可能な程度の大きさの架台２上に、廃プラスチックを破砕してフレーク状の廃プラスチック片にする破砕装置３と、廃プラスチック片を水中に投入して水に対する比重差を利用して素材毎に浮沈選別する選別装置４と、選別した廃プラスチック片を洗浄する洗浄装置５と、洗浄した廃プラスチック片に付着している水分を脱水除去する脱水装置６とを載置している。
【００１３】
前記破砕装置３は、所定高さ位置に配置したケーシング７内に複数の刃体８有する軸体９を回転自在に備えたものであって、前記軸体９を駆動装置（図示せず）にて高速回転させ、ケーシング７の上部開放側より投入した廃プラスチックなどを順次フレーク状の廃プラスチック片へと破砕して下部開放側より排出するようにしている。１０は回収した廃プラスチックを破砕装置３へと投入する投入コンベアであって、他装置と同様に架台２上に傾斜載置しており、その搬送端を破砕装置３上位に備えた投入ホッパ１１の上部開口部へと臨ませている。
【００１４】
選別装置４は水槽１２を主体となし、該水槽１２を前記破砕装置３の下位に配置している。水槽１２の一端側上位には水槽１２内へ一定に水を供給する給水ノズル１３を備えていると共に、他端側上端部には排水口１４を備えており、前記給水ノズル１３より供給された水が水槽１２を満たすと排水口１４より余剰水としてオーバーフローするようにして、水槽１２内の水に常時一定方向への水流が生じるように図っている。なお、排水口１４より排水される余剰水を給水ノズル１３へと戻して循環させるように配管すれば節水を図ることができる。
【００１５】
１５は前記破砕装置３より排出される廃プラスチック片を順次水槽１２へと押し込みながら投入するための圧送投入手段であるスクリューコンベアであって、その終端開口部１６を水槽１２の上流側の底部付近へ臨ませている。したがって、水槽１２内に水が満たされているときには、前記開口部１６は水中へ開口していることとなる。
【００１６】
また、水槽１２は、図３に示すとおり、断面を略逆三角形の構造として中央部１７が最深部となるようにして、水底へ沈下したものは水槽１２の底部斜面に沿って中央部１７に集まるように図っており、該中央部１７には集まった廃プラスチック片を取り出すための取り出し手段であるスクリューコンベア１８を備えている。
【００１７】
１９は水槽１２内を流れる水流を左右に蛇行させるための遮蔽材であって、図２に示すとおり、複数の遮蔽材１９を水槽１２の左右側壁より水槽１２内部へ向けて交互にジグザグとなるように配置している。遮蔽材１９をこのように配置することにより、水流の流れを大きく阻害することなく水槽１２幅いっぱいに水流を大きく蛇行させ、遮蔽材１９を配置していない同サイズの水槽と比較して数倍程度の流下距離を確保することができる。このため、比較的サイズの小さい水槽でも十分な浮沈選別を行え、運搬車の荷台に搭載するのに好適な小型サイズの水槽を採用することができる。また、水槽１２内を流下させる水を減らすことにもつながってランニングコストの低下も期待できる。
【００１８】
また、前記排水口１４の上位には水面へ浮上して流下してくるＰＰ片やＰＥ片を排水口１４側へかき寄せて取り出すための取り出し手段であるスクリューコンベア２０を架設しており、半面を水面下に没入させたスクリューコンベア２０の羽根間に流下してきたＰＰ片やＰＥ片を排水口１４側へとかき寄せ、余剰水と共に排水口１４よりオーバーフローさせて取り出すように図っている。
【００１９】
洗浄装置５は廃プラスチック片を撹拌洗浄して、廃プラスチック片に付着する汚れを洗い落とすためのものであって、前記スクリューコンベア１８の搬送端と投入用のスクリューコンベア２１にて連結しており、水槽１２の水底より取り出した廃プラスチック片を順次洗浄装置５に投入して洗浄を行うようにしている。脱水装置６は洗浄された廃プラスチック片に付着している水分を遠心脱水するためのものであって、前記洗浄機１４にて洗浄された廃プラスチック片を順次脱水装置６に投入して脱水を行うようにしている。
【００２０】
しかして、各家庭などから各事業所などへ回収してきたペットボトルなどの廃プラスチックを素材毎に選別するときには、本発明の廃プラスチック処理装置１を運搬車の荷台に搭載して各事業所へ移動させる。各事業所へ到着すると、廃プラスチック処理装置１を現場へと降ろして設置し、給水及び排水の配管などを行う。そして、給水ノズル１３より水を供給して水槽１２内を水で満たし、排水口１４より余剰水をオーバーフローさせて水槽１２内に一定方向への水流を生じさせる。なお、水流は遮蔽材１９によって水槽１２の幅いっぱいに蛇行しながら流下していく。そして、ペットボトルなどの廃プラスチックを投入コンベア１０を介して破砕装置３へと投入し、所定サイズの廃プラスチック片に破砕した後、スクリューコンベア１５にて順次水槽１２内へと投入していく。
【００２１】
このとき、廃プラスチック片は水中へ押し込まれるように送り出されるため、廃プラスチック片には表面張力が働くこともなく、また互いに貼り付くような現象も生じず、水流によって即座にバラバラに解きほぐされて水中内を流下していく。そして、各廃プラスチック片が水槽１２内を蛇行しながら流下していく間に、廃プラスチック片中に含まれるＰＥＴ片などの比重の大きいものは何ら抵抗無くそのまま水底へと沈下していく一方、ＰＰ片やＰＥ片などの比重の小さいものだけが水面へと浮上していき、比較的短時間で精度よく選別されていく。
【００２２】
そして、水面上に浮上したＰＰ片やＰＥ片などが水槽１２の下流まで流れ着くと、スクリューコンベア２０にて排水口１４側へとかき寄せて余剰水と共にオーバーフローさせ、図示はしていないが別途備えたネットなどでこし取って取り出していく。一方、水底に沈下したＰＥＴ片などは水槽１２の中央部１７に集まったところをスクリューコンベア１８にて順次取り出していく。そして、洗浄機５による洗浄に続き、脱水機６にて脱水処理して再生処理に適した状態のＰＥＴ片などを得る。
【００２３】
なお、廃プラスチック処理装置１を運搬車の荷台に搭載して次の現場である事業所などへ移動させることも簡単にでき、廃プラスチックの回収される各事業所などへ適宜搬送して廃プラスチックを順次処理することも可能である。
【００２４】
また、本実施例においては、再生処理の対象である容器本体などが水底に沈下するようなＰＥＴなどである場合を想定して構成しているが、逆に再生処理の対象が水上に浮上するようなＰＰやＰＥなどである場合には、スクリューコンベア２１の投入口を排水口１４へ連結するようにすれば簡単に対応させることができる。
【００２５】
また、本実施例においては、廃プラスチック処理装置１を各処理現場へ運搬した後に、一旦地上へと降ろして水配管などを行って設置するようにしているが、必ずしも運搬車より降ろす必要はなく、運搬車の荷台に搭載したまま各処理現場で水配管を行うようにしても同様に処理作業を行うことができる。そして、こうすることによって積み降ろしにかかる手間が省け、機動性を向上させることができる。
【００２６】
【発明の効果】
以上のように本発明の廃プラスチック処理装置によれば、運搬車の荷台に搭載可能とした大きさの架台上に、回収した廃プラスチックを上方へと搬送する投入コンベヤと、該投入コンベヤの搬送端下位に配設した投入ホッパを備え、廃プラスチックをフレーク状に破砕する破砕装置と、該破砕装置の下位に配設した廃プラスチック片を水槽に投入して比重差を利用して選別する選別装置と、該選別装置より取り出した廃プラスチック片を洗浄する洗浄装置と、該洗浄装置から取り出した廃プラスチック片の水分を脱水除去する脱水装置とを載置すると共に、前記選別装置の水槽は平面視が長方形で、かつ断面が略逆三角形の構造とし、水槽の底部中央部には沈降する比重の大きい廃プラスチック片を水流の流れる方向へと取り出すスクリューコンベアを備え、水槽の廃プラスチック片を投入する一端側上位には水を供給する給水ノズルを備える一方、他端側上端部には排水口を備え、前記給水ノズルより供給された水が水槽を満たすと排水口より余剰水としてオーバーフローするようにして水槽内の水に常時一定方向への水流が生じるようにし、水槽の上流側には廃プラスチック片を水中へ押し込んで投入する圧送投入手段を備え、水槽内部には水流を蛇行させる遮蔽材を備え、更に前記排水口の上位には水面へ浮上して流下してくる比重の小さい廃プラスチック片を排水口側へかき寄せて取り出す半面を水面下に没入させたスクリューコンベアを架設したので、選別装置となる水槽を運搬車に搭載できるようにコンパクト化でき、製造工場にて組み立てた廃プラスチック処理装置を架台ごと運搬車へ搭載して現地に輸送して設置するだけで良く、現地工事も不要となって低コスト化を図れる。
【図面の簡単な説明】
【図１】本発明に係る廃プラスチック処理装置の一実施例を示す正面図である。
【図２】図１の平面図である。
【図３】図１の側面図である。
【符号の説明】
１…廃プラスチック処理装置    ２…架台
３…破砕装置                  ４…選別装置
５…洗浄装置                  ６…脱水装置
１２…水槽
１５…スクリューコンベア（圧送投入手段）
１８、２０…スクリューコンベア（取り出し手段）
１９…遮蔽材
【図１】
0004834241.tif 000002
【図２】
0004834241.tif 000003
【図３】
0004834241.tif 000004